【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
通信装置であって、
第１の通信手段と、
第２の通信手段と、
第３の通信手段と、
前記第１の通信手段による通信を、前記第２の通信手段による通信に切り替える切り替え手段と、
制御手段とを有し、
前記制御手段は、
前記切り替え手段による切り替え処理の期間を含まない第１の期間では、前記第１の通信手段による通信中であっても、前記第３の通信手段による通信を優先し、
前記切り替え手段による切り替え処理の期間を含む第２の期間では、前記第１の通信手段による通信を前記第３の通信手段による通信よりも優先する、
ことを特徴とする通信装置。
【請求項２】
前記第１の期間において前記第３の通信手段による外部装置との接続を検知した場合、前記制御手段は、前記第２の通信手段による通信を終了し、前記第３の通信手段による通信を確立するよう制御することを特徴とする請求項１に記載の通信装置。
【請求項３】
前記第２の期間において前記第３の通信手段による外部装置との接続を検知した場合、前記制御手段は前記第３の通信手段による通信を確立しないよう制御することを特徴とする請求項１または２に記載の通信装置。
【請求項４】
前記第１の通信手段による通信は、前記第２の通信手段による通信よりも低速かつ低消費電力であることを特徴とする請求項１から３のいずれか１項に記載の通信装置。
【請求項５】
前記第１の通信手段及び前記第２の通信手段による通信は無線通信であり、第３の通信手段による通信は有線通信であることを特徴とする請求項１から４のいずれか１項に記載の通信装置。
【請求項６】
前記制御手段は、
第１の外部機器との通信を前記第１の通信手段による通信から前記第２の通信手段による通信に前記切り替え手段によって切り替える処理の間に前記第３の通信手段に第２の外部機器が接続されたことが検出された場合、
前記第１の外部機器のユーザが前記通信装置を使用中であると判定されれば前記通信装置の前記第３の通信手段による通信を禁止し、
前記第１の外部機器のユーザが前記通信装置を使用中であると判定されなければ前記通信装置の前記第３の通信手段による通信を許可する、
ことを特徴とする請求項１から５のいずれか１項に記載の通信装置。
【請求項７】
前記制御手段は、前記通信装置が直近に電源オン状態になった要因と、前記通信装置の電源スイッチの状態とのうち、少なくとも前記要因に基づいて、前記判定を行うことを特徴とする請求項６に記載の通信装置。
【請求項８】
前記制御手段は、前記通信装置が直近に電源オン状態になった要因が前記第１の外部機器からの指示の受信である場合に、前記第１の外部機器のユーザが前記通信装置を使用中であると判定することを特徴とする請求項７に記載の通信装置。
【請求項９】
前記制御手段は、前記通信装置が直近に電源オン状態になった要因が前記第１の外部機器からの指示の受信であり、かつ前記電源スイッチがオフの状態である場合に、前記第１の外部機器のユーザが前記通信装置を使用中であると判定することを特徴とする請求項７または８に記載の通信装置。
【請求項１０】
撮像装置であることを特徴とする請求項１から９のいずれか１項に記載の通信装置。
【請求項１１】
第１の通信手段と、
第２の通信手段と、
第３の通信手段と、
前記第１の通信手段による通信を、前記第２の通信手段による通信に切り替える切り替え手段と、を有する通信装置の制御方法であって、
前記切り替え手段による切り替え処理の期間を含まない第１の期間では、前記第１の通信手段による通信中であっても、前記第３の通信手段による通信を優先し、
前記切り替え手段による切り替え処理の期間を含む第２の期間では、前記第１の通信手段による通信を前記第３の通信手段による通信よりも優先する、
制御工程を有する、通信装置の制御方法。
【請求項１２】
第１の通信手段と、
第２の通信手段と、
第３の通信手段と、
前記第１の通信手段による通信を、前記第２の通信手段による通信に切り替える切り替え手段と、を有する通信装置が備える１つ以上のプロセッサを、請求項１から１０のいずれか１項に記載の通信装置が有する制御手段として機能させるためのプログラム。
【手続補正２】
【補正対象書類名】明細書
【補正対象項目名】発明の名称
【補正方法】変更
【補正の内容】
【発明の名称】通信装置およびその制御方法
【手続補正３】
【補正対象書類名】明細書
【補正対象項目名】０００１
【補正方法】変更
【補正の内容】
【０００１】
本発明は通信装置およびその制御方法に関し、特に複数の方法で外部機器と通信可能な通信装置およびその制御方法に関する。
【手続補正４】
【補正対象書類名】明細書
【補正対象項目名】０００２
【補正方法】変更
【補正の内容】
【０００２】
デジタルカメラなど、外部機器と接続するための通信機能を有する電子機器（通信装置）が広く用いられている。また、複数の通信方法（規格）に対応した通信装置も存在している。複数の通信方法に対応する通信装置では、メモリカードなどの供給リソースへのアクセス競合を防止するため、同時に複数の通信方法を利用した通信を行わないような排他的な制御がなされていることが多い（特許文献１）。また、このような排他的な制御は、通信に利用する電波などの干渉を回避する目的で行われることもある。
【手続補正５】
【補正対象書類名】明細書
【補正対象項目名】０００４
【補正方法】変更
【補正の内容】
【０００４】
しかしながら、特許文献１に記載されるような、所定のコマンドを先に受信した通信インタフェースを有効とし、他の通信インタフェースを無効とする排他的制御では、複数の通信方法を自動的に切り替えて通信することができない。また、例えば通信装置がアイドル時などに外部機器と自動通信するような場合、自動通信中は他の通信を行えないため、ユーザの使い勝手が低下するおそれがある。
【手続補正６】
【補正対象書類名】明細書
【補正対象項目名】０００５
【補正方法】変更
【補正の内容】
【０００５】
本発明は、ユーザの使い勝手を考慮した通信方法の利用可否制御が可能な通信装置およびその制御方法の提供を目的とする。
【手続補正７】
【補正対象書類名】明細書
【補正対象項目名】０００６
【補正方法】変更
【補正の内容】
【０００６】
上述の目的は、通信装置であって、第１の通信手段と、第２の通信手段と、第３の通信手段と、第１の通信手段による通信を、第２の通信手段による通信に切り替える切り替え手段と、制御手段とを有し、制御手段は、切り替え手段による切り替え処理の期間を含まない第１の期間では、第１の通信手段による通信中であっても、第３の通信手段による通信を優先し、切り替え手段による切り替え処理の期間を含む第２の期間では、第１の通信手段による通信を第３の通信手段による通信よりも優先する、ことを特徴とする通信装置によって達成される。
【手続補正８】
【補正対象書類名】明細書
【補正対象項目名】０００７
【補正方法】変更
【補正の内容】
【０００７】
本発明によれば、ユーザの使い勝手を考慮した通信方法の利用可否制御が可能な通信装置およびその制御方法を提供できる。
【手続補正９】
【補正対象書類名】明細書
【補正対象項目名】０００８
【補正方法】変更
【補正の内容】
【０００８】
【図１】本発明に係る通信装置としてのデジタルカメラの構成例を示すブロック図
【図２Ａ】第１実施形態に係るデジタルカメラの通信制御に関するフローチャート
【図２Ｂ】第２実施形態に係るデジタルカメラの通信制御に関するフローチャート
【図２Ｃ】第３実施形態に係るデジタルカメラの通信制御に関するフローチャート
【手続補正１０】
【補正対象書類名】明細書
【補正対象項目名】０００９
【補正方法】変更
【補正の内容】
【０００９】
以下、本発明の例示的な実施形態について添付図面に基づいて詳細に説明する。なお、以下の実施形態においては、本発明に係る通信装置の一例としてのデジタルカメラに関して説明する。しかしながら、本発明に撮影機能は必須ではなく、本発明は３種類以上の通信方法をサポートする任意の通信装置に適用可能である。このような通信装置にはデジタルカメラをはじめ、パーソナルコンピュータ、タブレットコンピュータ、携帯電話機、スマートフォン、ＰＤＡ、ゲーム機などが含まれるが、これらに限定されない。
【手続補正１１】
【補正対象書類名】明細書
【補正対象項目名】００２０
【補正方法】変更
【補正の内容】
【００２０】
なお、デジタルカメラが通信する外部機器に特に制限はなく、各通信部がサポートする通信規格に準拠した通信が可能な任意の通信装置であってよい。典型例を挙げればパーソナルコンピュータ（タブレット端末を含む）、スマートフォンであるが、これらに限定されない。
【手続補正１２】
【補正対象書類名】明細書
【補正対象項目名】００６１
【補正方法】変更
【補正の内容】
【００６１】
本実施形態によれば、外部機器と無線通信が確立している際に有線通信部に別の外部機器が接続された際に、無線通信が確立している外部機器の種類や、通信装置の動作モードを考慮して、有線通信の可否を決定するようにした。そのため、無線通信が確立している外部機器の種類や、通信装置と外部機器との間で無線通信を用いて行われている処理などに応じて適切に有線通信の可否を判定することができ、ユーザの使い勝手を考慮した通信可否制御を実現できる。